(57)【要約】【課題】リベットによるワーク本体と取付金具とをリベッティングによって、ワーク本体の内面に面一かもしくは食い込んだ状態で接合固定することができる安定で強固なカシメが可能なカシメ加工方法とその加工装置を提供する。【解決手段】ワーク本体Ａと取付金具Ｂを重ね合わせ、これらに形成したリベット孔に差し込んだリベットＣの下部にリベット受部材７を配置し、このリベット受部材７を囲繞して形成したワーク受軸部材３でワーク本体Ａの前記リベットＣ周辺の下部を支持し、リベットＣの上部をハンマー１０で打撃することによってワーク受治具部材３が取付金具Ｂやワーク本体Ａと共に下降し、リベットＣの下部に配したリベット受部材７がリベットＣを圧潰してカシメる。【選択図】図１
2004167576.tif 000002
【特許請求の範囲】
【請求項１】
ワーク本体とこのワーク本体に取り付ける取付金具とに設けたリベット孔にリベットを差し込み、差し込んだリベットの下部にリベット受部材を配すると共に、上記リベット受部材を囲繞して設けたワーク受治具部材で前記リベット周辺のワーク本体の下面を支持し、リベットの上部をハンマーで打撃することによってワーク本体と取付金具およびワーク受治具部材が下降すると共に、前記リベット受部材によってリベットの下部を少なくともワーク本体の下面と面一か、もしくは下面より食い込んだ圧潰状態にカシメることを特徴とするリベットによるカシメ加工方法。
【請求項２】
ワーク本体とこのワーク本体に取り付ける取付金具とに設けたリベット孔に差し込んだリベットの下部に配するリベット受部材と、該リベット受部材を囲繞してリベット周辺のワーク本体の下面を支持するワーク受治具部材とからなるワーク本体の保持機構と、リベットの上部を打撃するハンマー部材からなる打撃機構とによって構成されていることを特徴とするリベットによるカシメ加工装置。
【請求項３】
前記ワーク本体の保持機構におけるワーク受治具部材は、リベット周辺のワーク本体の下部をバネによる付勢で上方に向けて支持すると共に、ハンマー部材による打撃の際にはワーク本体と取付金具およびワーク受治具部材が前記の付勢に抗して下降すると共に、リベット受部材がリベットの下部を圧潰してワーク本体の下面と面一か、もしくは下面より食い込んだ状態でカシメるよう構成してなることを特徴とする請求項２記載のリベットによるカシメ加工装置。
【請求項４】
前記打撃機構におけるハンマー部材の周囲をクッション性材料でカバーしてなることを特徴とする請求項２又は３記載のリベットによるカシメ加工装置。
【発明の詳細な説明】
【０００１】
【発明の属する技術分野】
本発明は、リベットを用いてワーク本体とこれに取付金具を取り付けるためのカシメ加工方法とこれに用いる加工装置に係り、特に鍋、フライパン、玉子焼き器などの各種の調理器具をワーク本体としてこれに把手などの取付金具を取り付ける際に有利に機能するカシメ加工方法とその加工装置に関するものである。
【０００２】
【従来の技術】
前記した鍋、フライパンなどの把手の取り付けや、その他の金属の板や型材などの接合の目的でワーク本体と取付金具を重ね合わせ、これらに開けた孔にリベットを差し込んでリベットのカシメによってワーク本体と取付金具を相互に半永久的に固定結合する方法は夙に周知のものである。
一般にこれらは図４のように、ワーク２１、２２に孔を開けて孔同士を重ね合わせ、この孔に頭部２４を有する既製のリベット２３のシャンク（軸部）２５を下から差し込んで保持部材２６で保持しながら上端に突き出た部分を当て板２７を介してハンマーで打撃してカシメて潰すことによって達成される。
【０００３】
【発明が解決しようとする課題】
このリベットによるカシメ加工方法によれば、打撃によってリベットが倒れたり、片寄った状態で圧潰され、あるいはカシメ不足が生じたりして不安定な仕上がりになる場合がしばしば生ずる。
また、リベットの頭部がワーク本体から突き出た恰好で接合固定されるので、突き出た頭部によってワーク本体表面の平滑性が損なわれ、鍋やフライパンの場合にこの突き出た頭部が内側にあると調理の邪魔になり、また、この突き出た頭部に料理のカスなどが付着して不潔になったり、洗浄の際の洗浄器具が引っ掛かって取扱いが不便になるといった問題がある。
本発明の目的は、かゝる問題を解消してワーク本体に対して取付金具を確実にリベッティングしてワーク本体の内面にリベットの頭部が突き出ることなく、安定で強固なカシメを可能とするカシメ加工方法とその加工装置を提供せんとするものである。
【０００４】
【課題を解決するための手段】
上記の目的を達成するため、まず、本発明の請求項１は、ワーク本体とこのワーク本体に取り付ける取付金具とに設けたリベット孔にリベットを差し込み、差し込んだリベットの下部にリベット受部材を配すると共に、上記リベット受部材を囲繞して設けたワーク受治具部材で前記リベット周辺のワーク本体の下面を支持し、リベットの上部をハンマーで打撃することによってワーク本体と取付金具およびワーク受治具部材が下降すると共に、前記リベット受部材によってリベットの下部を少なくともワーク本体の下面と面一か、もしくは下面より食い込んだ圧潰状態にカシメることを特徴とするリベットによるカシメ加工方法である。
【０００５】
次の請求項２は、ワーク本体とこのワーク本体に取り付ける取付金具とに設けたリベット孔に差し込んだリベットの下部に配するリベット受部材と、該リベット受部材を囲繞してリベット周辺のワーク本体の下面を支持するワーク受治具部材とからなるワーク本体の保持機構と、リベットの上部を打撃するハンマー部材からなる打撃機構とによって構成されていることを特徴とするリベットによるカシメ加工装置である。
【０００６】
また、請求項３は、前記ワーク本体の保持機構におけるワーク受治具部材は、リベット周辺のワーク本体の下部をバネによる付勢で上方に向けて支持すると共に、ハンマー部材による打撃の際にはワーク本体と取付金具およびワーク受治具部材が前記の付勢に抗して下降すると共に、リベット受部材がリベットの下部を圧潰してワーク本体の下面と面一か、もしくは下面より食い込んだ状態でカシメるよう構成してなることを特徴とする請求項２記載のリベットによるカシメ加工装置である。
【０００７】
さらに、請求項４は、前記打撃機構におけるハンマー部材の周囲をクッション性材料でカバーしてなることを特徴とする請求項２又は３記載のリベットによるカシメ加工装置である。
【０００８】
【発明の実施の形態】
本発明の請求項１におけるリベットによるカシメ加工方法は、実際には請求項２及びこの請求項２に包含される請求項３と４のリベットによる加工装置を使用するものである。
【０００９】
上記の加工装置は、実質的にワーク本体と取付金具を重ね合わせて、リベットを差し込んだワーク本体を下方から支持して安定したカシメ加工を行わせるためのワーク本体の保持機構と、用いたリベットの上部を打撃してカシメるための打撃機構からなるものである。
【００１０】
ワーク本体の保持機構は、ワーク受治具部材とリベット受部材とからなり、ワーク受治具部材はワーク本体と取付金具に設けたリベット孔に頭部を上にして差し込んだリベットの下部周辺のワーク本体の部分を支持するもので、リベット受部材はリベット孔に差し込んだ前記リベットの下部を支持するものである。
【００１１】
ワーク受治具部材は上下方向に設けた通孔の内部にリベット受部材を配して実質的にリベット受部材を囲繞する構造となし、好ましくはこの通孔の中にスプリングなどのバネを設けて、このバネの付勢力によって通常はワーク受治具部材をリベット周辺のワーク本体の下面を支持するようにすると共に、ハンマー部材による打撃の際には前記の付勢力に抗してワーク受治具部材がワーク本体や取付金具と共に一定距離だけ下方に移動して、リベットの下部がリベット受部材の上端に接触し、これがリベットの圧潰に寄与してカシメが達成されるのである。
【００１２】
前記打撃機構におけるハンマー部材の周囲はクッション性材料でカバーすることが好ましいが、このクッション性材料の適用は打撃に際して生ずる音や振動を極力防止し、ハンマーによって生ずるワーク本体や取付金具の損傷を避けるために設けるもので、その素材に特別な制限はないが、常温でゴム弾性を示すウレタンゴムや塩化ビニル発泡体などのエラストマー性の素材を用いることができる。
【００１３】
ハンマー部材の作動には、空気圧や水圧を駆動源とする従来のリベット打機の機構を採用することができる。
【００１４】
【作用】
本発明のリベットによるカシメ加工方法は、取付金具を重ね合わせたワーク本体を下方から支持して安定したカシメ加工を行わせるためのワーク本体の保持機構と、用いたリベットの上部を打撃してカシメるための打撃機構からなる加工装置を使用するものである。
【００１５】
すなわち、リベット孔に差し込んだリベットの下部にリベット受部材を配置し、このリベット受部材を囲繞してワーク受治具部材で前記リベット周辺のワーク本体の下部を支持し、次いでリベットの上部をハンマーで打撃することによってワーク受治具部材が取付金具やワーク本体と共に下降し、同時にリベットの下部に配した前記リベット受部材がリベットの圧潰に寄与してカシメるもので、かゝる方法によってワーク本体の内面とリベットの下端が面一か、もしくはワーク本体の内面に食い込んでカシメられる。
【００１６】
また、カシメの際にはワーク受治具部材がリベットに対するガイドの役割を果してリベットの一方側への倒れや片つぶれなどがなく、また、カシメの不足によるガタツキなども勿論なく、さらにワーク本体と取付金具のリベットの周辺も打撃によって上方に向けて湾曲して食い込んだ状態となって強固な一体化が達成される。
【００１７】
【実施例】
以下、添付の図面を引用して本発明をさらに具体的に説明する。
図１は本発明のリベットによるカシメ加工方法の一例を縦断して示した説明図であり、この図１の場合はワーク本体Ａに取付金具Ｂを接合固定せんとすることを示している。
【００１８】
上記のワーク本体Ａは所定の湾曲断面を持ち、取付金具Ｂはこの湾曲断面に沿って湾曲し、これらワーク本体Ａと取付金具Ｂは重ね合わされ、その重ねられた部分にリベット孔が形成され、このリベット孔の上方から頭部を有するリベットＣが差し込まれる。
【００１９】
このリベットＣをカシメて目的を達成するための加工装置１は、取付金具Ｂと重ね合わせたワーク本体Ａを下方から支持して安定したカシメ加工を行わせるためのワーク本体の保持機構２と、リベットＣに打撃を与えてカシメるための打撃機構８とで構成されている。
【００２０】
ワーク本体の保持機構２は、ワーク受治具部材３とリベット受部材７とからなっており、ワーク受治具部材３はワーク本体Ａと取付金具Ｂに形成したリベット孔に差し込んだワーク本体ＡのリベットＣの下部周辺の部分を支持し、リベット受部材７はリベット孔に差し込んだ前記リベットＣの下部を支持する。
【００２１】
ワーク受治具部材３は上下方向に通孔４を形成し、この通孔４の内部にリベット受部材７を配して実質的にワーク受治具部材３によってこのリベット受部材７を囲繞する構成としている。
上記通孔４は下部が拡径し途中から段部を形成して縮径しており、下部に設けた受台５と段部との間の拡径部分にスプリング６を介在させ、このスプリング６の付勢力でワーク受治具部材３を上方に押し上げて上端が前記ワーク本体Ａの下面に接触するようになっている。
【００２２】
この状態でワーク受治具部材３の下端と受台５の上面との間には一定の距離ａが形成され、ワーク受治具部材３をスプリング６の付勢力に抗して押し下げた場合、この距離ａだけ押し下げられるようになっている。
【００２３】
また、前記のとおり、ワーク受治具部材３の上端がワーク本体Ａの下面に接触した状態では、ワーク本体Ａの下面とリベット受部材７の上面との間に前記距離ａに等しい間隔が保持されている。
そして、スプリング６の付勢力に抗してワーク受治具部材３が押し下げられるとワーク受治具部材３は距離ａの範囲で下方に移動するが、これによりリベットＣの下端がリベット受部材７の上端に触れて実質的にリベットＣの下端を圧潰するように働く。
【００２４】
打撃機構８は、上下動するリベット打機９にハンマー１０が取り付けられて、ハンマー１０を下方に打下ろすことによってリベットＣの上部を打撃してカシメるようになっている。
このハンマー１０の周囲はウレタンゴム１１がカバーされてソフトな状態を保持している。
【００２５】
この構造の加工装置１は、リベット孔に差し込んだリベットＣの下部にリベット受部材７を配し、このリベット受部材７を囲繞してワーク受治具部材３で前記リベットＣの周辺のワーク本体の下部を支持し、この状態でリベットＣの上部をハンマー１０で打撃することによってワーク受治具部材３がワークＡ，Ｂと共に下降し、同時にリベットＣの下部に配した前記リベット受部材７がリベットＣの圧潰に寄与してカシメるものである。
【００２６】
これにより加工途中を示す図２のとおり、ワーク受治具部材３がガイドのような役割を果してリベットＣの周囲を支持しつゝ圧潰されるため、リベットＣの一方側への倒れや片つぶれなどを生ずることがなく、また、カシメの不足によるガタツキなどは勿論ない状態で加工が行われ、最終的に図３に示すようにワーク本体Ａの内面（図の下面）とリベットＣの下端が面一か、もしくはワーク本体Ａの内面に食い込んでリベッティングされ、また、ワーク本体Ａと取付金具ＢのリベットＣの周辺も打撃によって上方に向けて湾曲して食い込んだ状態となって強固な一体化が達成されるのである。
したがって、本発明のかゝる加工装置を用いた加工方法によって、従来のカシメ加工にみられない優れたカシメ加工を達成することができるのである。
【００２７】
【発明の効果】
本発明のリベットによるカシメ加工方法は、既述のとおり取付金具を重ね合わせたワーク本体を下方から支持して安定したカシメ加工を行わせるためのワーク本体の保持機構と、取付金具とワーク本体に形成したリベット孔に差し込んだリベットの上部を打撃してカシメるための打撃機構からなる加工装置を使用するものである。
【００２８】
すなわち、リベット孔に差し込んだ前記リベットの下部にリベット保持機構のリベット受部材を配置し、このリベット受部材を囲繞して設けたワーク受治具部材で前記リベット周辺のワーク本体の下部を支持し、リベットの上部をハンマーで打撃することによってワーク受治具部材が取付金具やワーク本体と共に下降する。
【００２９】
これによりリベットの下部に配した前記リベット受部材がリベットの圧潰に寄与してカシメられるもので、ワーク本体の内面とリベットの下端が面一か、もしくはワーク本体の内面に食い込んだ状態でリベッティングされ、リベットの一方側への倒れや片つぶれなどや、カシメの不足によるガタツキなどのカシメ不良が勿論なく、ワーク本体と取付金具相互のリベットの周囲が打撃によって互いに食い込んだ状態で強固に一体化される。
したがって、かゝる本発明の加工装置を使用した加工方法によって、従来のカシメ加工にみられない優れた加工を達成することができ、すこぶる使い勝手のよいカシメ加工品を得ることができる。
【図面の簡単な説明】
【図１】本発明のリベットによるカシメ加工方法の一例を縦断して示した説明図である。
【図２】本発明の加工装置を使用したリベット加工方法の加工途中における縦断面図である。
【図３】同じく本発明の加工装置を使用したリベット加工方法の最終の加工状態を示す縦断面図である。
【図４】従来のリベット加工を示す縦断面図である。
【符号の説明】
１        加工装置
２        ワーク本体の保持機構
３        ワーク受治具部材
４        通孔
５        受台
６        スプリング
７        リベット受部材
８        打撃機構
９        リベット打機
１０        ハンマー
１１        ウレタンゴム
Ａ        ワーク本体
Ｂ        取付金具
Ｃ        リベット
ａ        距離
【図１】
2004167576.tif 000003
【図２】
2004167576.tif 000004
【図３】
2004167576.tif 000005
【図４】
2004167576.tif 000006